(57)【要約】      （修正有）【課題】ソーラーパネルの表面に溜まった水を排出し、光電変換効率を高め、耐用年数を延長できる光電モジュール及びそのフレーム構造を提供する。【解決手段】フレーム構造は、ソーラーパネル１１を挟持させる上端固着板１３１及び下端固着板１３３を備える。上端固着板は排水溝部１３１Ａを含むと共に下端固着板は排水孔１３３Ａを含む。ソーラーパネルが上端固着板と下端固着板との間に装入され、排水溝部及び排水孔によりソーラーパネルの表面に溜まった水が排出される。【選択図】図１
0003205981.tif 000002
【実用新案登録請求の範囲】
【請求項１】
少なくとも１つの排水溝部を有する上端固着板と、
少なくとも１つの第一排水孔を有する下端固着板と、
前記上端固着板及び前記下端固着板の一側の端部に連結される側板と、
前記上端固着板、前記下端固着板及び前記側板に包囲されて形成される凹部に内設され、ソーラーパネルが前記凹部に装入される際に、前記少なくとも１つの第一排水孔が前記側板と前記ソーラーパネルとの間に位置されるように維持させるストッパーと、
を備えることを特徴とする光電モジュールのフレーム構造。
【請求項２】
前記ストッパーは、前記少なくとも１つの第一排水孔と前記ソーラーパネルとの間に位置されることを特徴とする、請求項１に記載の光電モジュールのフレーム構造。
【請求項３】
前記ストッパーは、前記側板から前記ソーラーパネルの方向に向けて突出し、且つ少なくとも１つの切欠き部を備えることを特徴とする、請求項１に記載の光電モジュールのフレーム構造。
【請求項４】
前記少なくとも１つの排水溝部に隣接する前記側板及び前記上端固着板の表面は同じ高さであることを特徴とする、請求項１に記載の光電モジュールのフレーム構造。
【請求項５】
前記少なくとも１つの排水溝部は隣接する前記側板を貫通しないことを特徴とする、請求項１に記載の光電モジュールのフレーム構造。
【請求項６】
前記フレーム構造は底板及び支持ピンをさらに備え、
前記底板は前記下端固着板に対して設置されると共に少なくとも１つの第二排水孔を含み、
前記側板は前記下端固着板から前記底板に延伸して連結され、
前記支持ピンは前記下端固着板及び前記底板に連結されることを特徴とする、請求項１に記載の光電モジュールのフレーム構造。
【請求項７】
前記少なくとも１つの第二排水孔は、前記少なくとも１つの第一排水孔に対置されることを特徴とする、請求項６に記載の光電モジュールのフレーム構造。
【請求項８】
前記フレーム構造は、前記下端固着板、前記側板、前記底板及び前記支持ピンにより形成されるはめ込み部に嵌入され、且つ前記少なくとも１つの第一排水孔及び前記少なくとも１つの第二排水孔に連通する排水構造を有する少なくとも１つの入隅部材をさらに備えることを特徴とする、請求項６に記載の光電モジュールのフレーム構造。
【請求項９】
前記少なくとも１つの第一排水孔は、前記少なくとも１つの排水溝部に対置されることを特徴とする、請求項１乃至８の何れか１項に記載の光電モジュールのフレーム構造。
【請求項１０】
ソーラーパネルと、
前記ソーラーパネルを包囲させる複数のフレーム構造と、を備え、
前記複数のフレーム構造の少なくとも１つは請求項１乃至９の何れか１項に記載のフレーム構造であることを特徴とする光電モジュール。
【考案の詳細な説明】
【技術分野】
【０００１】
本考案は、光電モジュールのフレームに関し、特に、排水構成の設計を有する光電モジュール及びそのフレーム構造に関する。
【背景技術】
【０００２】
一般的には、太陽光モジュールはフレーム構造がソーラーパネルの周縁を挟持することで構成される。場合によっては、前記太陽光モジュールは積載支持フレームにより支持され、且つ太陽光の照射を受けやすい地点に設置される。
【考案の概要】
【考案が解決しようとする課題】
【０００３】
しかしながら、前述した従来のフレーム技術では、前記フレーム構造は通常前記ソーラーパネルの上下の表面の辺縁を被覆し、側面に前記ソーラーパネルが固定される。これにより、前記フレーム構造の高さが前記ソーラーパネルの表面より高くなり、雨水が前記太陽光モジュール上に蓄積される。溜まった水が蒸発した後、残った塵が水垢を形成すると共に徐々に蓄積され、前記ソーラーパネルに入射される光線の一部が妨害されて前記太陽光モジュールの光電変換効率が低下する。また、前記フレーム構造内部に蓄積される水分が前記太陽光モジュールの劣化を加速させて耐用年数を縮めた。
【０００４】
そこで、本考案者は上記の欠点を改善可能と考え、鋭意研究した結果、合理的設計で上記の課題を効果的に改善する本考案の提案に到った。
【０００５】
本考案は、以上の実情に鑑みなされたものであって、上記課題解決のため、本考案は、光電モジュール及びそのフレーム構造を提供することを主目的とする。
【課題を解決するための手段】
【０００６】
上述した課題を解決し、上記目的を達成するための本考案に係る光電モジュールのフレーム構造は、上端固着板と、下端固着板と、側板と、ストッパーとを備える。前記上端固着板は少なくとも１つの排水溝部を含む。前記下端固着板は少なくとも１つの第一排水孔を含む。前記側板は前記上端固着板及び前記下端固着板の一側の端部に連結される。前記ストッパーは前記上端固着板、前記下端固着板及び前記側板により包囲されて形成される凹部に内設され、ソーラーパネルが前記凹部に装入される際に、前記少なくとも１つの第一排水孔が前記側板と前記ソーラーパネルとの間に位置されるように維持させる。
【０００７】
本考案の他の光電モジュールのフレーム構造は、ソーラーパネル及び前記ソーラーパネルを包囲させる複数のフレーム構造を備える。前記複数のフレーム構造の少なくとも１つは上端固着板と、下端固着板と、側板と、ストッパーとを含む。前記上端固着板は少なくとも１つの排水溝部を含む。前記下端固着板は少なくとも１つの第一排水孔を含む。前記側板は前記上端固着板及び前記下端固着板の一側の端部に連結される。前記ストッパーは前記上端固着板、前記下端固着板及び前記側板により包囲されて形成される凹部に内設され、ソーラーパネルが前記凹部に装入される際に、前記少なくとも１つの第一排水孔が前記側板と前記ソーラーパネルとの間に位置されるように維持させる。
【考案の効果】
【０００８】
本考案によれば、ソーラーパネルの表面に溜まった水がフレーム構造の内部を経て排出され、且つフレーム構造の各層の部材には排水構造が任意で設置される。同時に、フレーム構造の内部に水が溜まらないようにすることで、光電変換効率を有効的に高め、耐用年数を延長させる。
【図面の簡単な説明】
【０００９】
【図１】本考案の第１実施形態に係る光電モジュールの部分のフレーム構造を示す展開図である。
【図２】図１に示すフレーム構造における２―２’線における断面図である。
【図３】本考案の第２実施形態に係る光電モジュールの部分のフレーム構造を示す展開図である。
【図４】図３に示すフレーム構造における４―４’線における断面図である。
【図５】本考案の第３実施形態に係る光電モジュールの部分のフレーム構造を示す展開図である。
【図６】図５に示すフレーム構造における６―６’線における断面図である。
【図７】本考案の第４実施形態に係る光電モジュールの部分のフレーム構造を示す展開図である。
【図８】図７に示すフレーム構造における８―８’線における断面図である。
【図９】本考案の一実施形態に係る光電モジュールの正面の組み合わせを示す概略図である。
【図１０】本考案の一実施形態に係る光電モジュールの背面の組み合わせを示す概略図である。
【考案を実施するための形態】
【００１０】
以下に図面を参照して、本考案を実施するための形態について、詳細に説明する。なお、本考案は、以下に説明する実施形態に限定されるものではない。
【実施形態】
【００１１】
（第１実施形態）
図１は本考案の第１実施形態に係る光電モジュールの部分のフレーム構造を示す展開図である。図１に示すように、光電モジュール１００は、ソーラーパネル１１と、フレーム１３と、フレーム１５とを備える。各組のフレームが備える２つのフレームは相対的に設置されると共に互いに同じであり(図９及び図１０参照)、且つ２組のフレーム１３及びフレーム１５は長さに違いがある以外、その構造は互いに同じである。よって、本考案の明細書の中では、１つのフレームについてのみ説明を行う。しかしながら、他の実施形態では、２組のフレーム１３及びフレーム１５が相互に差異が存在し、例えば、後述の排水構造の数量及び／又は位置が異なる。
【００１２】
ある実施形態では、前記フレーム１３及び前記フレーム１５は入隅部材１７の組み合わせにより固定される。例えば、図１に示す前記入隅部材１７はＬ字型を呈し、前記フレーム１３のはめ込み部１３９及び前記フレーム１５のはめ込み部に同時に嵌入される(図示せず)。入隅部材１７が前記フレーム１３及び前記フレーム１５に嵌入される緊密度を高めるため、前記入隅部材１７の表面には粗造面或いは鋸の歯構造等が形成され、または前記フレーム１３及び前記フレーム１５に互いに対応し合う係合構造が形成されるが、これらに制限されない。
【００１３】
前記ソーラーパネル１１は一般的な太陽光電池で構成され、例えば、単結晶シリコン、多結晶シリコン、アモルファスシリコン等の単層或いは多層の光電変換ユニットで構成されるか、又は薄膜ソーラーパネルであり、且つ特定の制限はない。前記ソーラーパネル１１は前記フレーム１３及び前記フレーム１５により挟持された後に設置される。これにより、前記フレーム１３及び前記フレーム１５の長さは前記ソーラーパネル１１のサイズにより決定されるが、特に限定されない。前記フレーム１３及び前記フレーム１５は前記ソーラーパネル１１の重量を積載させるのに十分でなければならず、好ましくは、十分な機械的強度を有する材料で製造され、例えば、アルミニウム合金等の金属材料或いは炭素繊維等の合成材料で構成されるが、これらに限定されない。前記フレーム１３及び前記フレーム１５は直接モジュールとして設置されて装設される構造であるか、或いは他の積載構造が結合される構造である。
【００１４】
なお、図１に示すように、前記フレーム１３は上端固着板１３１と、下端固着板１３３と、側板１３５と、ストッパー１３７と、底板１３９３と、支持ピン１３９１とを備える。前記底板１３９３及び前記支持ピン１３９１は前記下端固着板１３３及び前記側板１３５と共に支持構造を形成し、前記ソーラーパネル１１の支持に使用される。前記支持構造の前端には前記入隅部材１７に結合されるはめ込み部１３９がさらに形成される。
【００１５】
前記上端固着板１３１は排水溝部１３１Ａを備え、好ましくは、前記排水溝部１３１Ａは前記フレーム１３の長さ方向の二側付近に位置されるが、これに限定されず、前記排水溝部１３１Ａが前記フレーム１３の中央付近に位置されてもよい。前記下端固着板１３３は前記上端固着板１３１に対向するように設置されると共に第一排水孔１３３Ａを含む。ある実施形態では、前記下端固着板１３３及び前記上端固着板１３１はほぼ同じ幅を有する。他の実施形態では、前記下端固着板１３３の幅が前記上端固着板１３１の幅より広い。前記側板１３５は前記上端固着板１３１及び前記下端固着板１３３の外側の端部に連結される。本明細書において、前記ソーラーパネル１１に近接する方向は内側と呼ばれ、前記ソーラーパネル１１から離れる方向は外側と呼ばれる。
【００１６】
ちなみに、図１は前記第一排水孔１３３Ａが前記排水溝部１３１Ａに対置されることを図示しているが、本考案はこれらに限定されるものではない。前記第一排水孔１３３Ａが前記排水溝部１３１Ａに対置されずに設置されてもよい。このほか、前記第一排水孔１３３Ａ及び前記排水溝部１３１Ａは、台形、半円形等の任意の形状を有し、図１に示すものに限定されない。他の実施形態では、前記下端固着板１３３には複数の第一排水孔１３３Ａが設置され、前記上端固着板１３１には複数の排水溝部１３１Ａが設置され、排水効果を強化させる。全て又は一部分の前記複数の第一排水孔１３３Ａが前記複数の排水溝部１３１Ａに対置され、或いは前記複数の第一排水孔１３３Ａの全てが前記複数の排水溝部１３１Ａに対置されない。
【００１７】
前記ストッパー１３７は前記上端固着板１３１、前記下端固着板１３３及び前記側板１３５により包囲されて形成される凹部に内設され、前記ソーラーパネル１１が前記凹部の内側の開口部から前記凹部内に装入される際に、前記第一排水孔１３３Ａが前記側板１３５と前記ソーラーパネル１１との間に位置されるように維持させる（図２参照）。本考案の明細書において、前記凹部の前記側板１３５から離れる一側は前記凹部の内側と呼ばれ、前記凹部の前記側板１３５に近接する一側は前記凹部の外側と呼ばれる。本実施形態では、前記ストッパー１３７は支持効果をさらに有する。
【００１８】
また、前記入隅部材１７が前記フレーム１３のはめ込み部１３９に嵌入されると、排水をよりスムーズにするため、前記入隅部材１７が前記第一排水孔１３３Ａに対置される排水構造を有する。例えば、図１に示す入隅部材１７には入隅スルーホール１７１及び入隅スルーホール１７３が形成され、前記入隅部材１７の上下の表面に連通されて排水しやすくする。しかしながら、異なる実施形態によると、前記入隅部材１７には前記入隅スルーホール１７１及び前記入隅スルーホール１７３が設置されなくてもよい。例えば、前記排水溝部１３１Ａ及び／又は前記第一排水孔１３３Ａが前記フレーム１３の中央付近に設置されると、前記入隅部材１７が排水経路に位置されないため、前記入隅スルーホール１７１及び前記入隅スルーホール１７３が設置されなくてもよい。
【００１９】
なお、図２は図１に示すフレーム構造１３における２―２’線における断面図である。図２に示す前記入隅部材１７が前記下端固着板１３３、前記側板１３５、前記底板１３９３及び前記支持ピン１３９１により形成される前記はめ込み部１３９にすでに嵌入されている。上述したように、前記底板１３９３及び前記支持ピン１３９１が支持構造を形成する。本実施形態において、前記底板１３９３は前記下端固着板１３３に対して設置され、且つその幅は前記上端固着板１３１及び前記下端固着板１３３よりも広い。前記側板１３５は前記下端固着板１３３から前記底板１３９３の外側の端部に延伸して連結される。前記支持ピン１３９１は前記下端固着板１３３と前記底板１３９３の内側との間に連結される。支持強度を増加させるため、前記ストッパー１３７の位置に比べて前記支持ピン１３９１が内側により接近するが、これに制限されない。
【００２０】
図２に示すように、前記ソーラーパネル１１が前記上端固着板１３１と前記下端固着板１３３との間に装入されると、前記ストッパー１３７が設置されるため、前記ソーラーパネル１１は前記側板１３５との一定の距離を離して前記側板１３５に直接接触されず、前記距離が排水経路となる。このほか、水流をフレーム１３の内部から排出させるため(例えば、図２の破線方向に示す水流方向)、前記排水溝部１３１Ａに隣接される前記側板１３５及び前記上端固着板１３１の表面が同じ高さになる。即ち、前記排水溝部１３１Ａが前記側板１３５の内側に位置されて前記側板１３５を横方向に貫通させず、残存部１３１Ｂを有し、残存部１３１Ｂは前記上端固着板１３１の表面とほぼ同じ高さか前記上端固着板１３１の表面より少し高くなって水流を阻止する。これにより、ソーラーパネル１１の表面の水流が前記排水溝部１３１Ａ、前記第一排水孔１３３Ａ、前記入隅スルーホール１７１を順に通って下方に排出される。排水効果を増強させるため、前記底板１３９３には少なくとも１つの第二排水孔１３９Ａが設置され、前記フレーム１３の内部を流れる水流が前記第二排水孔１３９Ａから下方に排出される。
【００２１】
ちなみに、図２は前記第二排水孔１３９Ａが前記第一排水孔１３３Ａに対置されることを図示しているが、本考案の説明はこの限りではなく、前記第二排水孔１３９Ａが前記第一排水孔１３３Ａに対置されなくてもよい。他の実施形態では、前記第二排水孔１３９Ａが前記側板１３５及び／又は前記支持ピン１３９１に設置されてもよく、且つ特定の制限はない。
【００２２】
より詳しくは、図１及び図２によると、前記排水溝部１３１Ａ、前記第一排水孔１３３Ａ、前記入隅スルーホール１７１及び前記第二排水孔１３９Ａが互いに対置されて上下に連通する排水経路が形成されるが、本考案はこれらに限定されるものではない。異なる実施方式では、前記排水溝部１３１Ａ、前記第一排水孔１３３Ａ、前記入隅スルーホール１７１及び前記第二排水孔１３９Ａの数量及び位置に特定の制限はなく、前記ソーラーパネル１１の表面の水流が前記排水溝部１３１Ａ、前記第一排水孔１３３Ａ及び前記第二排水孔１３９Ａを順に通過させて排水を完成させるものであればよく、また、前記水流方向は前記入隅スルーホール１７１を通過させるものに限定されない。
【００２３】
図１に示すように、前記フレーム１５は同様に排水溝部１５１Ａを備え、且つその内部の排水構造(例えば、第一排水孔及び第二排水孔等)は前記フレーム１３と同じであり、これはすでに詳述しているため、説明は省略する。
【００２４】
一方、ちなみに、図１によれば、前記ストッパー１３７が前記第一排水孔１３３Ａの内側に位置され、且つ前記上端固着板１３１及び前記下端固着板１３３に同時に連結されているが、これは説明のためであり、本考案の説明を限定させるものではない。
（第２実施形態）
【００２５】
図３は本考案の第２実施形態に係る光電モジュール２００の部分のフレーム構造を示す展開図であり、図４は図３に示すフレーム構造における４―４’線における断面図である。第２実施形態と上述の第１実施形態との差異は、第２実施形態では前記第一排水孔１３３Ａの内側に位置されるストッパー１３７’を備えるが、前記下端固着板１３３に設置される点のみであり、前記ソーラーパネル１１が前記上端固着板１３１と前記下端固着板１３３との間(例えば、前記上端固着板１３１、前記下端固着板１３３及び前記側板１３５により包囲されて形成される凹部内)に装入される際に、前記第一排水孔１３３Ａが前記側板１３５と前記ソーラーパネル１１との間に位置されるように維持させる点である。換言すれば、前記ストッパー１３７’が前記第一排水孔１３３Ａと前記ソーラーパネル１１との間に配置される（図４参照）。ちなみに、図３及び図４は前記ストッパー１３７’が前記下端固着板１３３に設置されることを図示しているが、本考案はこれらに限定されるものではない。他の実施形態では、前記ストッパー１３７’が前記上端固着板１３１に設置され、又は前記上端固着板１３１及び前記下端固着板１３３に分離されて同時に設置されてもよく、前記第一排水孔１３３Ａが前記側板１３５と前記ソーラーパネル１１との間に位置されるように維持させる機能を達成させればよく、特定の制限はない。
【００２６】
このほか、第２実施形態において、前記入隅部材１７の排水構造は排水用凹部１７１’及び排水用凹部１７３’として形成される。これにより、図４に示すように、前記ソーラーパネル１１が前記上端固着板１３１と前記下端固着板１３３との間に装入されて前記入隅部材１７が前記はめ込み部１３９に嵌入されると、前記ソーラーパネル１１の表面の水流が前記排水溝部１３１Ａ、前記第一排水孔１３３Ａ、前記排水用凹部１７１’及び前記第二排水孔１３９Ａを順に通過させて下方に排出される。上述したように、前記水流方向(破線で示す)は前記排水用凹部１７１’を通過させるものに制限されない。更に詳しくは、本考案の明細書において、前記入隅部材１７の排水構造は図１の入隅スルーホール１７１／１７３及び図３の凹部構造１７１’／１７３’に限定されず、前記フレーム１３/１５内部の水流が前記入隅部材１７を通過させて妨害されずに排出されるものであればよい。換言すれば、前記入隅部材１７が他の形状に設計されても、水流の経路を妨害させなければよい。
【００２７】
第２実施形態において、前記ストッパー１３７’以外の他の部材、例えば、上端固着板１３１、排水溝部１３１Ａ、下端固着板１３３、第一排水孔１３３Ａ、側板１３５、底板１３９３、第二排水孔１３９Ａ、支持ピン１３９１及びソーラーパネル１１は共に第１実施形態と同じであり、説明は省略する。
【００２８】
なお、図３に示すように、前記フレーム１５は同様に排水溝部１５１Ａを備え、且つその内部の排水構造(例えば、第一排水孔及び第二排水孔等)は前記フレーム１３と同じであり、これはすでに詳述しているため、説明は省略する。
（第３実施形態）
【００２９】
図５は本考案の第３実施形態に係る光電モジュール３００の部分のフレーム構造を示す展開図であり、図６は図５に示すフレーム構造における６―６’線における断面図である。第３実施形態と上述の第１実施形態及び第２実施形態との差異は、第３実施形態では前記側板１３５から前記ソーラーパネル１１の方向に突出されるストッパー１３７’’を備え、前記ストッパー１３７’’は前記第一排水孔１３３Ａに対置されて排水しやすくするための少なくとも１つの切欠き部を含む点である。前記ストッパー１３７’’の突出端は好ましくは前記第一排水孔１３３Ａの内側の辺縁に平行するかそれを超えており、ソーラーパネル１１が前記上端固着板１３１と前記下端固着板１３３との間(例えば、前記上端固着板１３１、前記下端固着板１３３及び前記側板１３５により包囲されて形成される凹部内)に装入される際に、前記第一排水孔１３３Ａが前記側板１３５と前記ソーラーパネル１１との間に位置されるように維持させる。ちなみに、図５及び図６は、前記ストッパー１３７’’の切欠き部が前記排水溝部１３１Ａ、前記第一排水孔１３３Ａ、前記排水用凹部１７１’及び前記第二排水孔１３９Ａに対置されることを図示しているが、本考案はこれらに限定されるものではない。前記ストッパー１３７’’の数量は１つ以上でもよい、前記切欠き部の数量及び位置は実施方式の違いにより決定され、前記ソーラーパネル１１の表面の水流を、前記排水溝部１３１Ａ、前記切欠き部、前記第一排水孔１３３Ａ及び前記第二排水孔１３９Ａを順に通過させて排出すればよく、また、前記水流方向は前記排水用凹部１７１’を通過させるものに制限されない。
【００３０】
第３実施形態において、前記ストッパー１３７’’以外の他の部材、例えば、上端固着板１３１、排水溝部１３１Ａ、下端固着板１３３、第一排水孔１３３Ａ、側板１３５、底板１３９３、第二排水孔１３９Ａ、支持ピン１３９１及びソーラーパネル１１は共に第２実施形態と同じであり、よって説明は省略する。
【００３１】
続いて、図５に示すように、前記フレーム１５は同様に排水溝部１５１Ａを備え、且つその内部の排水構造(例えば、第一排水孔、ストッパーの切欠き部及び第二排水孔等)は前記フレーム１３と同じであり、これはすでに詳述しているため、説明は省略する。
（第４実施形態）
【００３２】
図７は本考案の第４実施形態に係る光電モジュール４００の部分のフレーム構造を示す展開図であり、図８は図７に示すフレーム構造における８―８’に沿ってなる断面図である。第４実施形態と上述の第１実施形態乃至第３実施形態との差異は、第４実施形態では、前記フレーム１３及び前記フレーム１５を結合させて固定させる少なくとも１つのロック部材１９をさらに備える点である。つまり、第４実施形態において、前記フレーム１３及び前記フレーム１５は入隅部材により結合されて固定されるのではなく、少なくとも１つのロック部材１９により固定される。各２つのフレーム１３及びフレーム１５の間は１つ以上のロック部材１９により固定される。よって、前記フレーム１３は複数の固定孔１３１３(説明を簡略化するために１つのみ図示する)をさらに備え、且つ前記フレーム１５は複数の固定孔１５１３(説明を簡略化するために１つのみ図示する)をさらに備え、前記ロック部材１９が挿入されて固定される。
【００３３】
また、第４実施形態において、前記フレーム１３は支持構造を備えず、即ち、前記支持ピン１３９１及び前記底板１３９３を含まない。第４実施形態は前記上端固着板１３１と、前記下端固着板１３３と、前記側板１３５と、第１実施形態のような前記ストッパー１３７とを備える。ちなみに、第４実施形態のストッパー１３７は、第２実施形態のストッパー１３７’或いは第３実施形態のストッパー１３７’’を代替することができる。
【００３４】
なお、第４実施形態において、前記上端固着板１３１は排水溝部１３１Ａを備える。前記下端固着板１３３は前記上端固着板１３１に対向するように設置されると共に第一排水孔１３３Ａを含む。前記側板１３５は前記上端固着板１３１及び前記下端固着板１３３の外側の端部に連結される。前記ストッパー１３７は前記上端固着板１３１、前記下端固着板１３３及び前記側板１３５により包囲されて形成される凹部に内設され、前記ソーラーパネル１１が前記凹部の前記内側の開口部から前記凹部に装入される際に、前記第一排水孔１３３Ａが前記側板１３５と前記ソーラーパネル１１との間に位置されるように維持させる。これにより、前記ソーラーパネル１１の表面の水流が前記排水溝部１３１Ａ及び前記第一排水孔１３３Ａを順に通過させてフレーム１３の内部から排出される。本実施形態において、支持強度を増強させるため、前記下端固着板１３３の幅は前記上端固着板１３１の幅よりも広くすることができる。
【００３５】
上述の本考案の各実施形態の説明から分かるように、前記フレーム１３及び前記フレーム１５は支持構造を備えるか、或いは備えていない。このほか、前記フレーム１３及び前記フレーム１５の結合方式は上述の実施形態の前記入隅部材１７及びロック部材１９に限定されず、例えば、ねじや他の係合構造でもよく、フレームの結合方式は本考案の排水設計の精神に影響しない。
【００３６】
他の実施形態では、第１実施形態乃至第３実施形態の前記フレーム１３及び前記フレーム１５は入隅部材１７及びロック部材１９を同時に利用して結合されて固定されてもよい。
【００３７】
図９は、本考案の実施形態に係る光電モジュールの正面の組み合わせを示す概略図である。１組のフレーム１３及び１組のフレーム１５が前記ソーラーパネル１１を挟持すると、例えば、図１乃至図６の入隅部材１７及び／又は図７及び図８のロック部材１９により固定され、結合方式は入隅部材１７及びロック部材１９に限定されない。前記フレーム１３及び前記フレーム１５の上端固着板１３１には排水溝部１３１Ａ及び排水溝部１５１Ａがそれぞれ設置され、且つ前記フレーム１３及び前記フレーム１５の下端固着板１３３には第一排水孔１３３Ａ及び第一排水孔１５３Ａがそれぞれ設置される。これにより、前記ソーラーパネル１１に溜まった水はこれらの排水構造(例えば、排水溝部及び第一排水孔)により前記フレーム１３及び前記フレーム１５の内部を経て下方に排出される。
【００３８】
図１０は本考案の実施形態に係る光電モジュールの背面の組み合わせを示す概略図である。前記フレーム１３及び前記フレーム１５の底板には共に対称な２つの第二排水孔１３９Ａ及び第二排水孔１５９Ａがそれぞれ設置される。上述したように、前記第二排水孔１３９Ａ及び第二排水孔１５９Ａは前記排水溝部１３１Ａ、前記排水溝部１５１Ａ、前記第一排水孔１３３Ａ、及び前記第一排水孔１５３Ａに対置されるか、或いは対置されない。このほか、図１０は図７及び図８の第４実施形態が応用される際に、前記第二排水孔１３９Ａ及び第二排水孔１５９Ａが第一排水孔１３３Ａ及び第一排水孔１５３Ａで示され、第４実施形態では底板１３９３を備えない。
【００３９】
ちなみに、図９及び図１０では各フレームには共に対称な２つの排水構造が設置されているが、これは説明のためであり、本考案の説明を限定するものではない。実施方式の違いに基づいて、少なくとも１つのフレームに少なくとも１つの本考案の明細書の排水構造(少なくとも１つの前記排水溝部１３１Ａ又は１５１Ａ、少なくとも１つの前記第一排水孔１３３Ａ又は１５３Ａを備え、フレームが支持構造を有する場合、少なくとも１つの前記第二排水孔１３９Ａ又は１５９Ａをさらに備える)が設置されればよい。例えば、太陽光モジュールが傾斜して設置される場合、前記排水構造は高さが低く設置されるフレームに形成されればよく、全てのフレームに同時に設置される必要はない。
【００４０】
このほか、図９及び図１０では前記ソーラーパネル１１が矩形を呈して前記フレーム１５が前記フレーム１３よりも長くなっているが、これは説明のためであり、本考案の説明を限定するものではない。実施形態の差異に基づいて、前記ソーラーパネル１１が正方形を呈して前記フレーム１３及び前記フレーム１５が同じ長さであってもよい。
【００４１】
以上のことから、光電モジュールはその内部及び表面に溜まった水を排出させて、光電変換効率を高めて耐用年数を延ばす。よって、本考案の排水構造を有する設計の光電モジュール及びそのフレーム構造では、ソーラーパネルの表面に溜まった水がフレーム構造の内部を経て排出され、且つフレーム構造の各層の部材には排水構造が任意で設置され、同時にフレーム構造の内部に水が溜まるのを回避して、光電変換効率を有効的に高めて、耐用年数を延長させる。
【００４２】
以上、本考案の実施形態について図面を参照して詳述したが、具体的な構成はこの実施形態に限られるものではなく、本考案の要旨を逸脱しない範囲の設計変更等も含まれる。
【符号の説明】
【００４３】
１００、２００、３００、４００  光電モジュール
１１  ソーラーパネル
１３、１５  フレーム
１３１  上端固着板
１３１Ａ、１５１Ａ  排水溝部
１３１Ｂ  残存部
１３１３、１５１３  固定孔
１３３  下端固着板
１３３Ａ、１５３Ａ  第一排水孔
１３５  側板
１３７、１３７’、１３７’’  ストッパー
１３９  はめ込み部
１３９１  支持ピン
１３９３  底板
１３９Ａ、１５９Ａ  第二排水孔
１７  入隅部材
１７１、１７３  入隅スルーホール
１７１’、１７３’  排水用凹部
１９  ロック部材
【図１】
0003205981.tif 000003
【図２】
0003205981.tif 000004
【図３】
0003205981.tif 000005
【図４】
0003205981.tif 000006
【図５】
0003205981.tif 000007
【図６】
0003205981.tif 000008
【図７】
0003205981.tif 000009
【図８】
0003205981.tif 000010
【図９】
0003205981.tif 000011
【図１０】
0003205981.tif 000012